(57)【特許請求の範囲】
【請求項１】
多数の筒状フィルタエレメントを並設可能な塔内空間を有する濾過塔を備え、該濾過塔内において、立設される各フィルタエレメントを、その一端側でフィルタエレメントを介して処理の一次側と二次側とを連通可能な連通路を有する受け部材で支持し、他端側で支持板に係合させることにより支持するようにした濾過装置の使用方法であって、濾過塔内に並設する筒状フィルタエレメントをプリーツフィルタエレメントとするとともに、そのプリーツフィルタエレメントの本数を最大設置可能本数よりも少ない、濾過処理すべき容量に応じた本数とし、該本数のプリーツフィルタエレメントを濾過塔の内周面に近い径方向外側位置から内方に向けて順に配設することにより、実質的に、プリーツフィルタエレメントが配設された径方向外側領域とプリーツフィルタエレメントが配設されない径方向内側領域とに分け、該径方向内側領域においては、前記受け部材またはそれに相当する部材部分で止栓することを特徴とする濾過装置の使用方法。
【請求項２】
前記支持板が、複数の支持バーの相互連結構造を有するとともに、該相互連結構造が、濾過塔の内周面に固定された保持部材に連結されており、前記プリーツフィルタエレメントが配設されない径方向内側領域に対しては、その領域内にある支持バーを取り外す、請求項１の濾過装置の使用方法。
【請求項３】
前記プリーツフィルタエレメントが配設された径方向外側領域とプリーツフィルタエレメントが配設されない径方向内側領域との境界またはその近傍に、プリーツフィルタエレメントと同様に両端部で支持されるが通水不可に構成された止栓用ダミーエレメントを配設する、請求項１または２の濾過装置の使用方法。
【請求項４】
多数の筒状フィルタエレメントを並設可能な塔内空間を有する濾過塔を備え、該濾過塔内において、立設される各フィルタエレメントを、その一端側でフィルタエレメントを介して処理の一次側と二次側とを連通可能な連通路を有する受け部材で支持し、他端側で支持板に係合させることにより支持するようにした濾過装置であって、濾過塔内に、筒状のプリーツフィルタエレメントを、最大設置可能本数よりも少ない、濾過処理すべき容量に応じた本数だけ、濾過塔の内周面に近い径方向外側位置から内方に向けて順に配設することにより、実質的に、プリーツフィルタエレメントが配設された径方向外側領域とプリーツフィルタエレメントが配設されない径方向内側領域とに分け、該径方向内側領域においては、前記受け部材またはそれに相当する部材部分で止栓部材により止栓したことを特徴とする濾過装置。
【請求項５】
前記支持板が、複数の支持バーの相互連結構造を有するとともに、該相互連結構造が、濾過塔の内周面に固定された保持部材に連結されており、前記プリーツフィルタエレメントが配設されない径方向内側領域に対しては、その領域内にある支持バーを取り外されている、請求項４の濾過装置。
【請求項６】
前記プリーツフィルタエレメントが配設された径方向外側領域とプリーツフィルタエレメントが配設されない径方向内側領域との境界またはその近傍に、プリーツフィルタエレメントと同様に両端部で支持されるが通水不可に構成された止栓用ダミーエレメントが配設されている、請求項４または５の濾過装置。
【請求項７】
前記止栓部材が、前記受け部材またはそれに相当する部材部分に対し着脱自在な部材からなる、請求項４ないし６のいずれかに記載の濾過装置。
【発明の詳細な説明】
【０００１】
【発明の属する技術分野】
本発明は、多数の筒状フィルタエレメントが立設された濾過装置およびその使用方法に関し、とくに、復水濾過装置などに用いて好適な比較的大型の濾過装置を効率よく運転することができるようにした濾過装置およびその使用方法に関する。
【０００２】
【従来の技術】
比較的大容量の濾過装置として、筒状のフィルタエレメントを多数立設した濾過装置が知られている。筒状フィルタエレメントの形態として、たとえば、プラスチック繊維あるいはステンレス製の筒状フィルタに粉末樹脂をプリコートしたプリコートフィルタエレメントが知られている。また、筒状フィルタエレメントの別の形態として、筒状フィルタに、径方向に放射状に延びるプリーツ加工を施した、プリーツフィルタエレメントが知られている。これらフィルタエレメントは、同等のサイズの筒状に構成されている場合、通常、互換性がある。
【０００３】
復水濾過装置等に使用されていた濾過装置には、従来、濾過機能に加え脱塩性能を持たせるために、プリコートフィルタエレメントを使用することが多かったが、最近、濾過工程で生じる廃棄物の低減や除鉄率の向上を目的として、互換性のあるプリーツフィルタエレメントの使用が検討され始めている。プリーツフィルタエレメントは、プリコートフィルタエレメントと比較して、エレメント１本当たりのコストは高いが、プリコート樹脂を使用しないためランニングコストは安く、プリーツ形状により１エレメント当たりの濾過面積が大きく、また、１エレメント当たりの通水線流速を大きくとることが可能であることから、１本当たりの処理容量が大きいため設置するエレメントのトータル本数を減らすことができる。また、プリコート粉末樹脂の脱落等がなく、濾過工程で生じる廃棄物を大幅に低減できるとともに、比較的目の細かいフィルタを採用でき、濾過工程での除鉄率の向上が可能となる。
【０００４】
【発明が解決しようとする課題】
ところが、とくに既設のプリコートフィルタエレメントを使用した濾過装置において、単にプリコートフィルタエレメントを、サイズ的に互換性のあるプリーツフィルタエレメントに交換するだけでは、以下のような問題が生じる。すなわち、プリーツフィルタエレメントはプリコートフィルタエレメントに比較し１エレメント当たりの処理容量が大きいため、既設の濾過装置のエレメント全てをプリーツフィルタエレメントに代えると、必要とされる処理能力に対して余裕が生じすぎて、非効率的な装置になってしまう。適切な処理能力になるようにプリーツフィルタ化するためには、必要な本数のプリーツフィルタエレメントのみを装着し、余剰のエレメント装着部については通水機能を停止させる必要がある。
【０００５】
この通水機能の停止方法として、濾過装置を改造する方法や、余剰のエレメント装着部に対し止栓する方法等が考えられるが、前者の方法にはコストがかかりすぎるという問題がある。後者の方法については、不都合を生じさせることなく止栓できる適切な方法が未だ開発されていない。たとえば、既設の装置におけるプリコートフィルタエレメントの端部部分あるいはその近傍を支持していた通水部分を、ランダムに単に止栓するだけでは、次のような問題が生じる。たとえば、既設の装置においては、通常、各プリコートフィルタエレメントは両端部分でシール・支持され、その一方の部分は一次側から二次側への通水路を有し、他方の部分は各エレメントの間隔や姿勢を適正に保つための構造（たとえば、支持板構造）に構成されているが、ある領域のプリコートフィルタエレメントを廃止し、その領域にある上記一方の部分の一次側から二次側への通水路を止栓すると、上記他方の部分は全く支えの無い状態となって強度的かつ構造的に不安定な状態になりやすい。とくにこのような不安定な状態になった部分が濾過塔内に散在していると、全体的にみても構造的に不安定になりやすい。また、この他方の支持部分は、通常、複数のフィルタエレメントに対し共通の部材として構成されているので、この部材が不安定な状態になると、この部材の他の部位で支持されている、交換されたプリーツフィルタエレメントを所定の姿勢や間隔で安定して支持することが難しくなるという問題が生じる。さらに、まったく支持対象フィルタエレメントのない支持部材が残存する場合が生じると、支持部材とフィルタエレメントが相互に支えあっている構造の場合には、その支持部材自身の支えがなくなり、極端に不安定な状態に陥る。
【０００６】
上記のような問題は、既設の濾過装置においてプリコートフィルタエレメントをより本数の少ないプリーツフィルタエレメントに代える場合は勿論のこと、当初からプリーツフィルタエレメント用濾過装置として設計された新設機においても発生することが考えられる。すなわち、このような新設濾過装置においても、被処理水の性状が変化したり、必要とする処理能力が変更されたりした場合には、余剰のエレメント装着部に対し止栓することが必要となるが、上記と同様の止栓方法を適用すると、同じような問題が生じる。
【０００７】
そこで本発明の課題は、とくに多数のプリーツフィルタエレメントを装着可能な濾過装置において、余剰となったエレメント装着部分に対し不都合を生じさせることなく適切に止栓できるとともに、処理容量が変更された場合にも不都合を生じさせることなく容易に最適な処理容量に設定できるようにした、濾過装置およびその使用方法を提供することにある。
【０００８】
【課題を解決するための手段】
上記課題を解決するために、本発明に係る濾過装置の使用方法は、多数の筒状フィルタエレメントを並設可能な塔内空間を有する濾過塔を備え、該濾過塔内において、立設される各フィルタエレメントを、その一端側でフィルタエレメントを介して処理の一次側と二次側とを連通可能な連通路を有する受け部材で支持し、他端側で支持板に係合させることにより支持するようにした濾過装置の使用方法であって、濾過塔内に並設する筒状フィルタエレメントをプリーツフィルタエレメントとするとともに、そのプリーツフィルタエレメントの本数を最大設置可能本数よりも少ない、濾過処理すべき容量に応じた本数とし、該本数のプリーツフィルタエレメントを濾過塔の内周面に近い径方向外側位置から内方に向けて順に配設することにより、実質的に、プリーツフィルタエレメントが配設された径方向外側領域とプリーツフィルタエレメントが配設されない径方向内側領域とに分け、該径方向内側領域においては、前記受け部材またはそれに相当する部材部分で止栓することを特徴とする方法からなる。
【０００９】
この方法においては、上記支持板が、複数の支持バーの相互連結構造を有するとともに、該相互連結構造が、濾過塔の内周面に固定された保持部材に連結されている場合、上記プリーツフィルタエレメントが配設されない径方向内側領域に対しては、その領域内にある支持バーを取り外すことが好ましい。これによって、支えのない支持バーが残存する状態を回避できる。
【００１０】
また、上記プリーツフィルタエレメントが配設された径方向外側領域とプリーツフィルタエレメントが配設されない径方向内側領域との境界またはその近傍に、プリーツフィルタエレメントと同様に両端部で支持されるが通水不可に構成された止栓用ダミーエレメントを配設することもできる。このダミーエレメントは、たとえば筒状に構成され、プリーツフィルタエレメントと同様に装着されるものであるが、フィルタ機能は有しておらず、専ら止栓機能をもつものである。このように部分的にダミーエレメントを配設すると、たとえば多数のプリーツフィルタエレメントを支持するために複数の支持バーが設けられている場合において、たとえばそのうちの１本あるいは数本の支持バーについて配設すべきプリーツフィルタエレメントの本数に端数が生じた場合、そこにダミーエレメントを配設するようにすれば、支持バーに対する機械的な強度や剛性を確保しながら、目標とする止栓箇所を問題なく止栓できるようになる。また、ある処理容量に対してプリーツフィルタエレメントの数とそれに対応する支持バーの本数が設定されている場合において、処理容量が低減変更された結果プリーツフィルタエレメントの数を低減する場合、不要となった支持バーを取り外すことなくその部分にダミーエレメントを配設することができる。このようにしておけば、再び処理容量が増加変更された場合にもダミーエレメントを必要な本数だけプリーツフィルタエレメントに代えるだけで済み、処理容量の変更により容易に対応できるようになる。
【００１１】
本発明に係る濾過装置は、多数の筒状フィルタエレメントを並設可能な塔内空間を有する濾過塔を備え、該濾過塔内において、立設される各フィルタエレメントを、その一端側でフィルタエレメントを介して処理の一次側と二次側とを連通可能な連通路を有する受け部材で支持し、他端側で支持板に係合させることにより支持するようにした濾過装置であって、濾過塔内に、筒状のプリーツフィルタエレメントを、最大設置可能本数よりも少ない、濾過処理すべき容量に応じた本数だけ、濾過塔の内周面に近い径方向外側位置から内方に向けて順に配設することにより、実質的に、プリーツフィルタエレメントが配設された径方向外側領域とプリーツフィルタエレメントが配設されない径方向内側領域とに分け、該径方向内側領域においては、前記受け部材またはそれに相当する部材部分で止栓部材により止栓したことを特徴とするものからなる。
【００１２】
この装置においても、上記支持板が、複数の支持バーの相互連結構造を有するとともに、該相互連結構造が、濾過塔の内周面に固定された保持部材に連結されている場合には、上記プリーツフィルタエレメントが配設されない径方向内側領域に対しては、その領域内にある支持バーを取り外されている構成とすることができる。
【００１３】
また、上記プリーツフィルタエレメントが配設された径方向外側領域とプリーツフィルタエレメントが配設されない径方向内側領域との境界またはその近傍に、プリーツフィルタエレメントと同様に両端部で支持されるが通水不可に構成された止栓用ダミーエレメントが配設されている構成とすることができる。
【００１４】
さらに、上記止栓部材の構造についてはとくに限定されないが、上記受け部材またはそれに相当する部材部分に対し着脱自在な部材からなることが好ましい。つまり、必要に応じて容易に止栓あるいはその解除をできるようにしておく。
【００１５】
上記のような本発明に係る濾過装置およびその使用方法においては、濾過処理すべき容量に応じて本数が決められたプリーツフィルタエレメントが、濾過塔の内周面に近い径方向外側位置から内方に向けて順に配設（たとえば、環状に配設）され、プリーツフィルタエレメントが配設されない径方向内側領域においては、受け部材またはそれに相当する部材部分で止栓されるので、プリーツフィルタエレメントの配設領域がランダムにばらつくことはなく、濾過塔の内周面に近い径方向外側位置に限定される。濾過塔の内周面には、通常、各プリーツフィルタエレメントの一端を係合支持する支持板（たとえば、複数の支持バーの相互連結構造を有する支持板）を濾過塔本体に対して固定する部材が設けられているので、その固定用部材に対して支持板の必要な領域を容易にかつ確実に固定できる。したがって、配設されたプリーツフィルタエレメントと支持板との相互支持構造を適切に確保しつつ、かつ、その支持板の必要な領域を適切に保持しつつ、処理に不要な部分のみを止栓できるようになり、不都合を生じることなく、最大設置可能本数よりも少ない本数のプリーツフィルタエレメントを配設できるようになる。
【００１６】
その結果、既存のプリコートフィルタエレメントを使用している濾過装置を容易にプリーツフィルタ化することができる。また、当初よりプリーツフィルタエレメント用に製造された新設装置にあっても、処理容量の変更等に応じて容易に最適なプリーツフィルタエレメント本数に変更でき、要求仕様に応じた最適な処理能力が容易に得られることになる。
【００１７】
【発明の実施の形態】
以下に、本発明の望ましい実施の形態について、図面を参照しながら説明する。
図１ないし図７は、本発明の一実施態様に係る濾過装置を示している。図１および図２において、１は濾過装置全体を示しており、多数の筒状フィルタエレメントを並設可能な塔内空間を有する濾過塔（本体胴）２内には、複数の筒状のプリーツフィルタエレメント３が、後述の径方向外側領域において、それぞれ上下方向を軸方向として、立設されて並設されている。また、後述の径方向内側領域においては、フィルタエレメントは設けられず、止栓部材４で止栓されている。下部側から入口管５を通して濾過塔２内の一次側６に被処理水が導入され、導入された被処理水は、各止栓部材４の設置部分については止栓された状態で通水されず、各プリーツフィルタエレメント３により濾過処理され、濾過された処理水は二次側である下部集水部（二次側）７に集められ、そこから出口管８を介して後段の工程に送られるようになっている。濾過塔２の上端部にはベント９（空気抜き）が設けられており、初期満水時や逆洗時における空気抜きが可能となっている。
【００１８】
各プリーツフィルタエレメント３を装着する部分の構造は次のように構成されている。
プリーツフィルタエレメント３は、ガイドロッド１０を介して、両端側で係合により支持されている。図１に示すように、各ガイドロッド１０の上端側は、支持板としてのスペーシングバー１１の各孔１２に上下方向に摺動可能に嵌挿されており、該嵌挿を介して、各エレメント３の姿勢と間隔が所定の姿勢と間隔に保たれるようになっている。各ガイドロッド１０の下端側は、隔壁１３に固着された受け部材としての下部アダプタ１４内に保持されている。また、下部アダプタ１４は、一次側と二次側を連通する隔壁１３に設けられた複数の通水路（連通路）に係合されている。各エレメント３の上下端には、シール用のガスケット１５ａ、１５ｂが介装されており、ガイドロッド１０の上部側に外挿されたスプリング１６による付勢によって、各エレメント３の上下部が適切な押圧力をもってシールされるようになっている。
【００１９】
たとえばプリコートフィルタエレメント用に設計された既存の濾過装置に本発明を適用する場合には、上記スペーシングバー１１は、当初、図１１に示すような構成を有している。図１１に示すように、濾過塔２内にスペーシングバー１１が多数配列されており、各スペーシングバー１１に対し、複数のエレメントが係合、支持可能となっている。各スペーシングバー１１自身の支持構造はとくに限定しないが、本実施態様では図１１に示すように、各スペーシングバー１１同士が適当に連結されるとともに、適当な部位にて、濾過塔２の内面側に固定された保持部材としてのリテイニングバー１７に連結されている。また、隣接するスペーシングバー１１同士は、適当箇所にて三角形状のリンク１８で相対移動可能に相互に連結されており、この相互連結構造により、各スペーシングバー１１間の間隔を適正な値に保つとともに、スペーシングバー１１の組合せ体全体として、各部位の移動微調整が可能な構造となっている。
【００２０】
このような既存の構成に対し本発明を適用する場合には、図２に示すように、プリコートフィルタエレメントに代えてプリーツフィルタエレメント３を使用する際に、必要となるプリーツフィルタエレメント３の本数に対応するスペーシングバー１１が、濾過塔２の内周面に近い径方向外側位置から内方に向けて順に必要な本数だけ残され、それよりも内側に位置する、残りの不要となる本数のスペーシングバー１１は取り外される。つまり、プリーツフィルタエレメント３が配設された径方向外側領域Ａとプリーツフィルタエレメント３が配設されない径方向内側領域Ｂとに分けられ、スペーシングバー１１が取り外された径方向内側領域Ｂにおいては、受け部材としての下部アダプター１４またはそれに相当する部材がある場合にはその部材部分で止栓部材４によって止栓される。
【００２１】
プリーツフィルタエレメント３を含む各モジュール部について、図３ないし図６を参照して、止栓部材４部分の構造について、図７または図８を参照して、それぞれ説明する。
【００２２】
プリーツフィルタエレメント３を含むモジュールは、図３ないし図５に示すように構成されており、プリーツフィルタエレメント３は、図６に示すように、放射状に延びるようにプリーツ加工された濾材１９と、該濾材１９を内周側から形態保持する多孔円筒体２０を備えている。プリーツフィルタエレメント３の内部を上下にガイドロッド１０が貫通しており、ガイドロッド１０の上端部はエキステンションナット２１に構成されている。このエキステンションナット２１部分が、前述のスペーシングバー１１の対応する孔１２に嵌挿され、ヒッチピン２２を介してスペーシングバー１１に係合、保持されている。
【００２３】
エキステンションナット２１の下部には、ロックナット２３、スペーサ２４を介してスプリングキャップ２５が設けられ、下方のスプリングシート２６との間に前述のスプリング１６が介装されている。スプリングシート２６の下面側には、ガスケット２７を介してシートプレート２８が設けられ、このシートプレート２８とプリーツフィルタエレメント３の上端面との間に、前述のシール用ガスケット１５ａが介装されている。
【００２４】
ガイドロッド１０のフィルタエレメント３内部分には、横断面三角形状のアングル部材２９が設けられており、該アングル部材２９の各頂点部３点がフィルタエレメント３内側の多孔円筒体２０の内面に接し、３点支持されることによって長尺のガイドロッド１０の剛性、真直性が保持できるとともに、ガイドロッド１０に対しフィルタエレメント３が所定の位置関係に保たれるようになっている。ガイドロッド１０の下端部は大径部３０に形成されており、この大径部にロックピン３１が横方向から挿通されている。このロックピン３１が、下部アダプタ１４に挿入された後回転されることにより、下部アダプタ１４内に刻設された、上方に向かって凸の円弧形状に形成された溝３２（図３）に係合し、このモジュールの抜け等が防止されるようになっている。
【００２５】
止栓部材４部分の構造はとくに限定されず、たとえば図７や図８に示すように構成できる。
図７に示す構造においては、下部アダプタ１４に対して止栓部材４が着脱自在に取り付けられている。止栓部材４は、互いに締結し合う第１部材４１と第２部材４２を有しており、第１部材４１は、たとえば六角の頭部からなる締め付け部４３と、締め付け部４３に溶接等により固着された円板部４４と、その下部に固着された円筒部４５と、円筒部４５に溶接等により固着されたナット部４６とからなっている。第２部材４２は、ナット部４６に螺合されたボルト部４７と、螺合後にボルト部４７の頂部に溶接等により固着された抜け止め用の係止部４８と、ボルト部４７の下端に溶接等により固着されたピン部４９とからなっており、このピン部４９が、下部アダプタ１４に挿入された後回転されることにより、前述の下部アダプタ１４内に刻設された円弧形状の溝３２に係合されるようになっている。第１部材４１の円板部４４と、下部アダプタ１４の受け部５０との間には、弾性材料からなるパッキン５１（たとえば、天然ゴムからなるパッキン）が介装されており、上記締め付け部４３を回転させ、ナット部４６を介して第２部材４２を締め上げていくことにより、ピン部４９を溝３２に係合させたまま、円板部４４と受け部５０との間でパッキン５１を押圧変形させることで、この間をシールし、この下部アダプタ１４部分を止栓部材４で完全に止栓するようになっている。
【００２６】
図８に示す止栓部材６０においても、下部アダプタ１４に対して止栓部材６０が着脱自在に取り付けられ、止栓部材６０は、溝３２に係合するピン部６１と、それに溶接等により固着されたボルト部６２と、ボルト部６２に螺合されるナット６３（図示例ではダブルナット）と、ナット６３の下面側に配置された座金６４と、座金６４の下部でボルト部６２の周囲に設けられた外周面テーパ形状の弾性部材６５（たとえば、ゴム栓）とを備えている。この構造では、ナット６３を回転させ、ピン部６１を溝３２に係合させたまま、ボルト部６２を締め上げていくことにより、相対的に座金６４によって弾性部材６５が上方から押し込まれていき、弾性部材６５が径方向内外に膨らんで、下部アダプタ１４の受け部５０内周面との間、および、ボルト部６２との間をシールし、この下部アダプタ１４部分を止栓部材６０で完全に止栓するようになっている。
【００２７】
ただし、止栓部材およびそれを用いた止栓構造に関しては、上記図７、図８に例示した構造以外のものでもよい。
【００２８】
上記のように構成された濾過装置１およびその使用方法においては、濾過処理すべき容量に応じて配設すべきプリーツフィルタエレメント３の本数が、最大設置可能本数よりも少ない最適な本数として決められる。本数の決められたプリーツフィルタエレメント３が、濾過塔２の内周面に近い径方向外側位置から内方に向けて順に配設（たとえば、環状や、図２に示したように主として対抗する部位に配設）され、プリーツフィルタエレメント３が配設された径方向外側領域Ａが構成される。プリーツフィルタエレメント３が配設されない径方向内側領域Ｂにおいては、受け部材としての下部アダプター１４の部分で止栓部材４（６０）を用いて完全に止栓される。したがって、プリーツフィルタエレメント３の配設領域が特定の領域、つまり、濾過塔の内周面に近い径方向外側領域Ａに限定される。濾過塔２の内周面には、保持部材としてのリテイニングバー１７が固定されているので、上記径方向外側領域Ａのプリーツフィルタエレメント３を支持しているスペーシングバー１１の相互連結構造体は、確実にこのリテイニングバー１７によって支持される。したがって、この部分のスペーシングバー１１、ひいてはプリーツフィルタエレメント３の支持構造が不安定になることはない。そして、不要になったプリーツフィルタエレメント３が配設されない径方向内側領域Ｂにおけるスペーシングバー１１は、何ら不都合を生じさせることなく、容易に取り外すことができるようになる。
【００２９】
その結果、濾過処理に必要な本数のプリーツフィルタエレメント３が確実に配設され、配設されたプリーツフィルタエレメント３とスペーシングバー１１との相互支持構造も適切に確保されつつ、処理に不要な部分のみが確実に止栓され、何ら不都合を生じることなく、最適な本数のプリーツフィルタエレメント３が配設される。
【００３０】
また、止栓部材４（６０）は下部アダプター１４に対して着脱自在に構成されているから、処理容量の変更等に伴い配設すべきプリーツフィルタエレメント３の本数が変更される場合にも、プリーツフィルタエレメント３の配設領域の拡大、縮小、止栓領域の縮小、拡大に容易に対応できる。
【００３１】
上記実施態様では、プリーツフィルタエレメント３を配設しない下部アダプター１４は全て止栓部材４（６０）を用いて止栓するようにしたが、たとえば、配設すべきプリーツフィルタエレメント３の本数に端数が生じ、１本のスペーシングバー１１に対して係合可能な本数すべてのプリーツフィルタエレメント３を契合させることができない場合や、多数のスペーシングバー１１の相互連結構造から、１本あるいは数本の不要スペーシングバー１１を取り外すのが困難な場合には、スペーシングバー１１が部分的に不安定になったり、実質的に支えのない不要スペーシングバー１１が存在するようになるおそれがある。このような場合には、通水不可のダミーエレメントを使用することが有効である。上記のように端数が生じてスペーシングバー１１が部分的に不安定になったり、取り外し困難なスペーシングバー１１が生じる場合には、その部分に対して以下に例示するようなダミーエレメントを使用することにより、上記のようなおそれを除去できる。また、ダミーエレメントを部分的に使用しておけば、たとえばスペーシングバー１１の着脱操作を行うことなく、プリーツフィルタエレメント３の本数の増減および止栓部の個数の増減を調整可能となり、処理容量の変更に一層容易に対応できるようになる。
【００３２】
このようなダミーエレメントとしては、基本的にはプリーツフィルタエレメント３モジュールと同等の構造を有し、プリーツフィルタエレメント３の代わりに通水不可の円筒部材（たとえば、単なるパイプ）を用いたものに構成すればよい。たとえば図９、図１０に示すように、ダミーエレメント７０を、通水不可の円筒状部材から構成し、そのシール構造は、プリーツフィルタエレメント３の装着部と全く同様に構成すればよい。図示例では、ダミーエレメント４自身以外のシール、保持構造は、本実施態様では実質的にフィルタエレメント装着部と同一の構造に構成されている。このようなダミーエレメント７０が装着されたエレメント装着部については、実質的に完全に止栓される。ガスケット１５ａ、１５ｂにおけるシールにおいても、プリーツフィルタエレメント３装着部と同じく、スプリング１６によって適切に高い押圧力が付着されるようにすれば、フィルタエレメント装着部におけるのと同じく優れたシール性が確保され、ダミーエレメント７０内外間の優れたシール性が確保されて、十分に良好な止栓機能が確保される。
【００３３】
【発明の効果】
以上説明したように、本発明に係る濾過装置およびその使用方法によれば、プリーツフィルタ化に際し余剰となったエレメント装着部分に対し不都合を生じさせることなく適切に止栓できるとともに、処理容量が変更された場合にも不都合を生じさせることなく容易に最適な処理容量に設定できるようになる。また、既存のプリコートフィルタエレメント用濾過装置のみならず、プリーツフィルタエレメントの使用を前提とした新設濾過装置に対しても、処理容量変更等に容易に対応するために、本発明を有効に適用することができる。
【図面の簡単な説明】
【図１】本発明の一実施態様に係る濾過装置の縦断面図である。
【図２】図１の装置の横断面図である。
【図３】図１の装置のプリーツフィルタエレメント装着部の拡大正面図である。
【図４】図３のプリーツフィルタエレメントを含むモジュールの縦断面図である。
【図５】図４のモジュールの分解斜視図である。
【図６】図３のプリーツフィルタエレメントの横断面図である。
【図７】図１の装置における止栓部の拡大縦断面図である。
【図８】別の止栓部の縦断面図である。
【図９】ダミーエレメントを含むモジュールの一例を示す分解斜視図である。
【図１０】図９のモジュールの部分縦断面図である。
【図１１】既存の濾過装置におけるスペーシングバー配設状態を示す濾過装置の横断面図である。
【符号の説明】
１  濾過装置
２  濾過塔（本体胴）
３  プリーツフィルタエレメント
４、６０  止栓部材
５  入口管
６、４２  一次側
７  下部集水部
８  出口管
９  ベント
１０、４１  ガイドロッド
１１  支持板としてのスペーシングバー
１２  孔
１３  隔壁
１４  受け部材としての下部アダプタ
１５ａ、１５ｂ  ガスケット
１６  スプリング
１７  保持部材としてのリテイニングバー
１８  リンク
１９  プリーツ加工された濾材
２０  多孔円筒体
２１、４５  エキステンションナット
２２  ヒッチピン
２３  ロックナット
２４  スペーサ
２５  スプリングキャップ
２６  スプリングシート
２７  ガスケット
２８  シートプレート
２９  アングル部材
３０  大径部
３１  ロックピン
３２  溝
４１  第１部材
４２  第２部材
４３  締め付け部
４４  円板部
４５  円筒部
４６  ナット部
４７  ボルト部
４８  係止部
４９  ピン部
５０  受け部
５１  パッキン
６１  ピン部
６２  ボルト部
６３  ナット
６４  座金
６５  弾性部材
７０  ダミーエレメント
【図１】
0003599723.tif 000002
【図２】
0003599723.tif 000003
【図３】
0003599723.tif 000004
【図４】
0003599723.tif 000005
【図５】
0003599723.tif 000006
【図６】
0003599723.tif 000007
【図７】
0003599723.tif 000008
【図８】
0003599723.tif 000009
【図９】
0003599723.tif 000010
【図１０】
0003599723.tif 000011
【図１１】
0003599723.tif 000012